(57)【要約】【課題】クーポン発行を行って他の店舗へ誘導した店舗に対して、適切な報酬額を算出することができるようにする。【解決手段】携帯情報端末によるクーポン発行Ｗｅｂページ又はクーポン利用Ｗｅｂページへのアクセスを検知したときに（１５０）、携帯情報端末のユーザＩＤ又はＣｏｏｋｉｅ情報、及びコードパターンを提示した店舗の店舗ＩＤを取得する（１５２、１５４）。クーポン利用Ｗｅｂページへのアクセスを検知したときに（１５６）、取得したユーザＩＤ又はＣｏｏｋｉｅ情報を含み、かつ、クーポン利用日時より所定期間前までの間に発行日時が含まれるクーポン発行ログを検索し（１６２）、検索されたクーポン発行ログのうち、取得した店舗ＩＤが誘導先店舗として記憶されている誘導元店舗の店舗ＩＤを含むクーポン発行ログを検索する（１６４）。クーポン発行ログの発行日時に応じた分配率に基づいて、各店舗ＩＤに対して支払う報酬額を算出する。【選択図】図７
2014139757.tif 000002
【特許請求の範囲】
【請求項１】
各店舗において利用者に対して提示され、かつ、前記店舗に対して定められた、前記店舗の利用者を前記店舗の後に誘導する誘導先店舗のクーポンを表すクーポン発行ＷｅｂページのＵＲＬを示すクーポン取得用コードパターンを、前記利用者の携帯情報端末によって読み込み、読み込んだ前記クーポン取得用コードパターンをＵＲＬへ変換して、前記変換したＵＲＬへアクセスし、前記クーポン発行Ｗｅｂページを表示し、
前記利用者が前記誘導先店舗で前記クーポンを利用するときに、前記誘導先店舗において利用者に対して提示され、かつ、前記誘導先店舗に対して定められた、前記クーポンを利用することを表すクーポン利用ＷｅｂページのＵＲＬを示す利用時コードパターンを、前記利用者の携帯情報端末によって読み込み、読み込んだ前記利用時コードパターンをＵＲＬへ変換して、前記変換したＵＲＬへアクセスし、前記クーポン利用Ｗｅｂページを表示するクーポン表示システムの制御サーバであって、
前記クーポン取得用コードパターンを提示する各店舗を誘導元店舗とし、前記誘導元店舗と、前記誘導元店舗で提示される前記クーポン取得用コードパターンのＵＲＬのクーポン発行Ｗｅｂページが表すクーポンで誘導される誘導先店舗とを対応付けて記憶した誘導先店舗記憶手段と、
前記携帯情報端末による前記クーポン発行ＷｅｂページのＵＲＬ、又は前記クーポン利用ＷｅｂページのＵＲＬへのアクセスを検知したときに、前記携帯情報端末のユーザのユーザ特定情報を取得すると共に、前記携帯情報端末によって読み込んだ前記クーポン取得用コードパターン又は前記利用時コードパターンを提示した店舗の店舗識別情報を取得する特定情報取得手段と、
前記携帯情報端末による前記クーポン発行ＷｅｂページのＵＲＬへのアクセスを検知したときに、前記特定情報取得手段によって取得した前記ユーザ特定情報及び前記店舗識別情報と前記クーポン発行ＷｅｂページのＵＲＬへのアクセス日時とを、クーポン発行ログとしてクーポン発行履歴記憶手段に記憶させるクーポン発行履歴記憶制御手段と、
前記携帯情報端末による前記クーポン利用ＷｅｂページのＵＲＬへのアクセスを検知したときに、前記特定情報取得手段によって取得した前記ユーザ特定情報を含み、かつ、前記クーポン利用ＷｅｂページのＵＲＬへアクセスした日時より所定期間前までの間に前記アクセス日時が含まれるクーポン発行ログを、前記クーポン発行履歴記憶手段から検索し、前記検索された前記クーポン発行ログのうち、前記特定情報取得手段によって取得した前記店舗識別情報が示す店舗が誘導先店舗として前記誘導先店舗記憶手段に記憶されている誘導元店舗の店舗識別情報を含む前記クーポン発行ログを検索するログ検索手段と、
前記特定情報取得手段によって取得した前記店舗識別情報に対して予め定められた報酬額と、前記ログ検索手段によって検索された前記クーポン発行ログの各々の前記アクセス日時と、に基づいて、前記ログ検索手段によって検索された前記クーポン発行ログの各々に含まれる店舗識別情報に対して支払う報酬額を算出する報酬額算出手段と、
を含む制御サーバ。
【請求項２】
前記報酬額算出手段は、前記ログ検索手段によって検索された前記クーポン発行ログの各々に含まれる店舗識別情報に対して、前記クーポン発行ログの前記アクセス日時が古いほど配分が小さくなるように、前記店舗識別情報に対する配分率を決定し、前記特定情報取得手段によって取得した前記店舗識別情報に対して予め定められた報酬額と、前記検索された前記クーポン発行ログの各々に含まれる店舗識別情報に対して各々決定された配分率とに基づいて、前記検索された前記クーポン発行ログの各々に含まれる店舗識別情報に対して支払う報酬額を各々算出する請求項１記載の制御サーバ。
【請求項３】
前記クーポン取得用コードパターン及び前記利用時コードパターンを、ＱＲコード（登録商標）とした請求項１又は２記載の制御サーバ。
【請求項４】
前記ユーザ特定情報を、ユーザＩＤ又はＣｏｏｋｉｅ情報とした請求項１〜請求項３の何れか１項記載の制御サーバ。
【請求項５】
請求項１〜請求項４の何れか１項に記載の制御サーバと、
撮像手段によって撮像された、前記クーポン取得用コードパターン又は前記利用時コードパターンを、ＵＲＬへ変換する変換手段、
前記ユーザ特定情報として前記ユーザＩＤを含む、前記変換手段によって変換したＵＲＬへのアクセス要求を送信するアクセス要求送信手段、及び
前記アクセス要求のＵＲＬの前記クーポン発行Ｗｅｂページまたは前記クーポン利用Ｗｅｂページを、表示手段に表示させる表示制御手段
を含む携帯情報端末と、
を含むクーポン表示システム。
【請求項６】
各店舗において利用者に対して提示され、かつ、前記店舗に対して定められた、前記店舗の利用者を前記店舗の後に誘導する誘導先店舗のクーポンを表すクーポン発行ＷｅｂページのＵＲＬを示すクーポン取得用コードパターンを、前記利用者の携帯情報端末によって読み込み、読み込んだ前記クーポン取得用コードパターンをＵＲＬへ変換して、前記変換したＵＲＬへアクセスし、前記クーポン発行Ｗｅｂページを表示し、
前記利用者が前記誘導先店舗で前記クーポンを利用するときに、前記誘導先店舗において利用者に対して提示され、かつ、前記誘導先店舗に対して定められた、前記クーポンを利用することを表すクーポン利用ＷｅｂページのＵＲＬを示す利用時コードパターンを、前記利用者の携帯情報端末によって読み込み、読み込んだ前記利用時コードパターンをＵＲＬへ変換して、前記変換したＵＲＬへアクセスし、前記クーポン利用Ｗｅｂページを表示するクーポン表示システムのプログラムであって、
前記クーポン取得用コードパターンを提示する各店舗を誘導元店舗とし、前記誘導元店舗と、前記誘導元店舗で提示される前記クーポン取得用コードパターンのＵＲＬのクーポン発行Ｗｅｂページが表すクーポンで誘導される誘導先店舗とを対応付けて記憶した誘導先店舗記憶手段を含むコンピュータを、
前記携帯情報端末による前記クーポン発行ＷｅｂページのＵＲＬ、又は前記クーポン利用ＷｅｂページのＵＲＬへのアクセスを検知したときに、前記携帯情報端末のユーザのユーザ特定情報を取得すると共に、前記携帯情報端末によって読み込んだ前記クーポン取得用コードパターン又は前記利用時コードパターンを提示した店舗の店舗識別情報を取得する特定情報取得手段、
前記携帯情報端末による前記クーポン発行ＷｅｂページのＵＲＬへのアクセスを検知したときに、前記特定情報取得手段によって取得した前記ユーザ特定情報及び前記店舗識別情報と前記クーポン発行ＷｅｂページのＵＲＬへのアクセス日時とを、クーポン発行ログとしてクーポン発行履歴記憶手段に記憶させるクーポン発行履歴記憶制御手段、
前記携帯情報端末による前記クーポン利用ＷｅｂページのＵＲＬへのアクセスを検知したときに、前記特定情報取得手段によって取得した前記ユーザ特定情報を含み、かつ、前記クーポン利用ＷｅｂページのＵＲＬへアクセスした日時より所定期間前までの間に前記アクセス日時が含まれるクーポン発行ログを、前記クーポン発行履歴記憶手段から検索し、前記検索された前記クーポン発行ログのうち、前記特定情報取得手段によって取得した前記店舗識別情報が示す店舗が誘導先店舗として前記誘導先店舗記憶手段に記憶されている誘導元店舗の店舗識別情報を含む前記クーポン発行ログを検索するログ検索手段、及び
前記特定情報取得手段によって取得した前記店舗識別情報に対して予め定められた報酬額と、前記ログ検索手段によって検索された前記クーポン発行ログの各々の前記アクセス日時と、に基づいて、前記ログ検索手段によって検索された前記クーポン発行ログの各々に含まれる店舗識別情報に対して支払う報酬額を算出する報酬額算出手段
として機能させるためのプログラム。
【発明の詳細な説明】
【技術分野】
【０００１】
本発明は、制御サーバ、クーポン表示システム、及びプログラムに係り、特に、携帯情報端末にクーポン発行Ｗｅｂページまたはクーポン利用Ｗｅｂページを表示させる制御サーバ、クーポン表示システム、及びプログラムに関する。
【背景技術】
【０００２】
従来より、クーポンなどの広告は、需要が見込めるユーザが存在する位置に設置されたり、需要が見込めるユーザに対して配信または配布されている。
【０００３】
また、利用実績情報から利用する可能性が高い電子クーポンを選択して、効率的な販売促進を行なうことができるクーポン管理システムが知られている（特許文献１）。
【先行技術文献】
【特許文献】
【０００４】
【特許文献１】特開２００９−７５８３９号公報
【発明の概要】
【発明が解決しようとする課題】
【０００５】
本発明は、クーポン発行を行って他の店舗へ誘導した店舗に対して、適切な報酬額を算出することができる制御サーバ、クーポン表示システム、及びプログラムを提供することを目的とする。
【課題を解決するための手段】
【０００６】
上記の目的を達成するために本発明に係る制御サーバは、各店舗において利用者に対して提示され、かつ、前記店舗に対して定められた、前記店舗の利用者を前記店舗の後に誘導する誘導先店舗のクーポンを表すクーポン発行ＷｅｂページのＵＲＬを示すクーポン取得用コードパターンを、前記利用者の携帯情報端末によって読み込み、読み込んだ前記クーポン取得用コードパターンをＵＲＬへ変換して、前記変換したＵＲＬへアクセスし、前記クーポン発行Ｗｅｂページを表示し、前記利用者が前記誘導先店舗で前記クーポンを利用するときに、前記誘導先店舗において利用者に対して提示され、かつ、前記誘導先店舗に対して定められた、前記クーポンを利用することを表すクーポン利用ＷｅｂページのＵＲＬを示す利用時コードパターンを、前記利用者の携帯情報端末によって読み込み、読み込んだ前記利用時コードパターンをＵＲＬへ変換して、前記変換したＵＲＬへアクセスし、前記クーポン利用Ｗｅｂページを表示するクーポン表示システムの制御サーバであって、前記クーポン取得用コードパターンを提示する各店舗を誘導元店舗とし、前記誘導元店舗と、前記誘導元店舗で提示される前記クーポン取得用コードパターンのＵＲＬのクーポン発行Ｗｅｂページが表すクーポンで誘導される誘導先店舗とを対応付けて記憶した誘導先店舗記憶手段と、前記携帯情報端末による前記クーポン発行ＷｅｂページのＵＲＬ、又は前記クーポン利用ＷｅｂページのＵＲＬへのアクセスを検知したときに、前記携帯情報端末のユーザのユーザ特定情報を取得すると共に、前記携帯情報端末によって読み込んだ前記クーポン取得用コードパターン又は前記利用時コードパターンを提示した店舗の店舗識別情報を取得する特定情報取得手段と、前記携帯情報端末による前記クーポン発行ＷｅｂページのＵＲＬへのアクセスを検知したときに、前記特定情報取得手段によって取得した前記ユーザ特定情報及び前記店舗識別情報と前記クーポン発行ＷｅｂページのＵＲＬへのアクセス日時とを、クーポン発行ログとしてクーポン発行履歴記憶手段に記憶させるクーポン発行履歴記憶制御手段と、前記携帯情報端末による前記クーポン利用ＷｅｂページのＵＲＬへのアクセスを検知したときに、前記特定情報取得手段によって取得した前記ユーザ特定情報を含み、かつ、前記クーポン利用ＷｅｂページのＵＲＬへアクセスした日時より所定期間前までの間に前記アクセス日時が含まれるクーポン発行ログを、前記クーポン発行履歴記憶手段から検索し、前記検索された前記クーポン発行ログのうち、前記特定情報取得手段によって取得した前記店舗識別情報が示す店舗が誘導先店舗として前記誘導先店舗記憶手段に記憶されている誘導元店舗の店舗識別情報を含む前記クーポン発行ログを検索するログ検索手段と、前記特定情報取得手段によって取得した前記店舗識別情報に対して予め定められた報酬額と、前記ログ検索手段によって検索された前記クーポン発行ログの各々の前記アクセス日時と、に基づいて、前記ログ検索手段によって検索された前記クーポン発行ログの各々に含まれる店舗識別情報に対して支払う報酬額を算出する報酬額算出手段と、を含んで構成されている。
【０００７】
本発明に係るプログラムは、各店舗において利用者に対して提示され、かつ、前記店舗に対して定められた、前記店舗の利用者を前記店舗の後に誘導する誘導先店舗のクーポンを表すクーポン発行ＷｅｂページのＵＲＬを示すクーポン取得用コードパターンを、前記利用者の携帯情報端末によって読み込み、読み込んだ前記クーポン取得用コードパターンをＵＲＬへ変換して、前記変換したＵＲＬへアクセスし、前記クーポン発行Ｗｅｂページを表示し、前記利用者が前記誘導先店舗で前記クーポンを利用するときに、前記誘導先店舗において利用者に対して提示され、かつ、前記誘導先店舗に対して定められた、前記クーポンを利用することを表すクーポン利用ＷｅｂページのＵＲＬを示す利用時コードパターンを、前記利用者の携帯情報端末によって読み込み、読み込んだ前記利用時コードパターンをＵＲＬへ変換して、前記変換したＵＲＬへアクセスし、前記クーポン利用Ｗｅｂページを表示するクーポン表示システムのプログラムであって、前記クーポン取得用コードパターンを提示する各店舗を誘導元店舗とし、前記誘導元店舗と、前記誘導元店舗で提示される前記クーポン取得用コードパターンのＵＲＬのクーポン発行Ｗｅｂページが表すクーポンで誘導される誘導先店舗とを対応付けて記憶した誘導先店舗記憶手段を含むコンピュータを、前記携帯情報端末による前記クーポン発行ＷｅｂページのＵＲＬ、又は前記クーポン利用ＷｅｂページのＵＲＬへのアクセスを検知したときに、前記携帯情報端末のユーザのユーザ特定情報を取得すると共に、前記携帯情報端末によって読み込んだ前記クーポン取得用コードパターン又は前記利用時コードパターンを提示した店舗の店舗識別情報を取得する特定情報取得手段、前記携帯情報端末による前記クーポン発行ＷｅｂページのＵＲＬへのアクセスを検知したときに、前記特定情報取得手段によって取得した前記ユーザ特定情報及び前記店舗識別情報と前記クーポン発行ＷｅｂページのＵＲＬへのアクセス日時とを、クーポン発行ログとしてクーポン発行履歴記憶手段に記憶させるクーポン発行履歴記憶制御手段、前記携帯情報端末による前記クーポン利用ＷｅｂページのＵＲＬへのアクセスを検知したときに、前記特定情報取得手段によって取得した前記ユーザ特定情報を含み、かつ、前記クーポン利用ＷｅｂページのＵＲＬへアクセスした日時より所定期間前までの間に前記アクセス日時が含まれるクーポン発行ログを、前記クーポン発行履歴記憶手段から検索し、前記検索された前記クーポン発行ログのうち、前記特定情報取得手段によって取得した前記店舗識別情報が示す店舗が誘導先店舗として前記誘導先店舗記憶手段に記憶されている誘導元店舗の店舗識別情報を含む前記クーポン発行ログを検索するログ検索手段、及び前記特定情報取得手段によって取得した前記店舗識別情報に対して予め定められた報酬額と、前記ログ検索手段によって検索された前記クーポン発行ログの各々の前記アクセス日時と、に基づいて、前記ログ検索手段によって検索された前記クーポン発行ログの各々に含まれる店舗識別情報に対して支払う報酬額を算出する報酬額算出手段として機能させるためのプログラムである。
【０００８】
本発明によれば、特定情報取得手段によって、前記携帯情報端末による前記クーポン発行ＷｅｂページのＵＲＬ、又は前記クーポン利用ＷｅｂページのＵＲＬへのアクセスを検知したときに、前記携帯情報端末のユーザのユーザ特定情報を取得すると共に、前記携帯情報端末によって読み込んだ前記クーポン取得用コードパターン又は前記利用時コードパターンを提示した店舗の店舗識別情報を取得する。
【０００９】
そして、クーポン発行履歴記憶制御手段によって、前記携帯情報端末による前記クーポン発行ＷｅｂページのＵＲＬへのアクセスを検知したときに、前記特定情報取得手段によって取得した前記ユーザ特定情報及び前記店舗識別情報と前記クーポン発行ＷｅｂページのＵＲＬへのアクセス日時とを、クーポン発行ログとしてクーポン発行履歴記憶手段に記憶させる。また、ログ検索手段によって、前記携帯情報端末による前記クーポン利用ＷｅｂページのＵＲＬへのアクセスを検知したときに、前記特定情報取得手段によって取得した前記ユーザ特定情報を含み、かつ、前記クーポン利用ＷｅｂページのＵＲＬへアクセスした日時より所定期間前までの間に前記アクセス日時が含まれるクーポン発行ログを、前記クーポン発行履歴記憶手段から検索し、前記検索された前記クーポン発行ログのうち、前記特定情報取得手段によって取得した前記店舗識別情報が示す店舗が誘導先店舗として前記誘導先店舗記憶手段に記憶されている誘導元店舗の店舗識別情報を含む前記クーポン発行ログを検索する。
【００１０】
そして、報酬額算出手段によって、前記特定情報取得手段によって取得した前記店舗識別情報に対して予め定められた報酬額と、前記ログ検索手段によって検索された前記クーポン発行ログの各々の前記アクセス日時と、に基づいて、前記ログ検索手段によって検索された前記クーポン発行ログの各々に含まれる店舗識別情報に対して支払う報酬額を算出する。
【００１１】
このように、携帯情報端末によるクーポン利用ＷｅｂページのＵＲＬへのアクセスを検知したときに、取得したユーザ特定情報を含み、かつ、クーポン利用ＷｅｂページのＵＲＬへアクセスした日時より所定期間前までの間にアクセス日時が含まれるクーポン発行ログを検索し、検索されたクーポン発行ログのうち、取得した店舗識別情報が示す店舗が誘導先店舗として誘導先店舗記憶手段に記憶されている誘導元店舗の店舗識別情報を含むクーポン発行ログを検索し、検索されたクーポン発行ログの各々に含まれる店舗識別情報に対して支払う報酬額を、クーポン発行ログの各々のアクセス日時に基づいて算出することにより、クーポン発行を行って他の店舗へ誘導した店舗に対して、適切な報酬額を算出することができる。
【００１２】
本発明に係るクーポン表示システムは、上記の制御サーバと、撮像手段によって撮像された、前記クーポン取得用コードパターン又は前記利用時コードパターンを、ＵＲＬへ変換する変換手段、前記ユーザ特定情報として前記ユーザＩＤを含む、前記変換手段によって変換したＵＲＬへのアクセス要求を送信するアクセス要求送信手段、及び前記アクセス要求のＵＲＬの前記クーポン発行Ｗｅｂページまたは前記クーポン利用Ｗｅｂページを、表示手段に表示させる表示制御手段を含む携帯情報端末とを含んで構成されている。
【００１３】
本発明のプログラムは、記憶媒体に格納して提供することができる。
【発明の効果】
【００１４】
以上説明したように、本発明の制御サーバ、クーポン表示システム、及びプログラムによれば、携帯情報端末によるクーポン利用ＷｅｂページのＵＲＬへのアクセスを検知したときに、取得したユーザ特定情報を含み、かつ、クーポン利用ＷｅｂページのＵＲＬへアクセスした日時より所定期間前までの間にアクセス日時が含まれるクーポン発行ログを検索し、検索されたクーポン発行ログのうち、取得した店舗識別情報が示す店舗が誘導先店舗として誘導先店舗記憶手段に記憶されている誘導元店舗の店舗識別情報を含むクーポン発行ログを検索し、検索されたクーポン発行ログの各々に含まれる店舗識別情報に対して支払う報酬額を、クーポン発行ログの各々のアクセス日時に基づいて算出することにより、クーポン発行を行って他の店舗へ誘導した店舗に対して、適切な報酬額を算出することができる、という効果が得られる。
【図面の簡単な説明】
【００１５】
【図１】本発明の第１の実施の形態に係るクーポン表示システムの構成を示す概略図である。
【図２】本発明の第１の実施の形態に係るクーポン表示システムの携帯情報端末の構成を示すブロック図である。
【図３】本発明の第１の実施の形態に係るクーポン表示システムの制御サーバの構成を示すブロック図である。
【図４】本発明の第１の実施の形態に係る携帯情報端末のクーポン取得利用処理ルーチンの内容を示すフローチャートである。
【図５】クーポン取得からクーポン利用までの処理の概要を説明するための図である。
【図６】本発明の第１の実施の形態に係る携帯情報端末のコードパターン読取処理ルーチンの内容を示すフローチャートである。
【図７】本発明の第１の実施の形態に係る制御サーバのクーポン発行利用ログ登録処理ルーチンの内容を示すフローチャートである。
【発明を実施するための形態】
【００１６】
以下、図面を参照して本発明の実施の形態を詳細に説明する。なお、本実施の形態では、クーポンを表示するＷｅｂページを携帯情報端末に表示させるクーポン表示システムに、本発明を適用した場合を例に説明する。
【００１７】
図１に示すように、第１の実施の形態に係るクーポン表示システム１０は、利用者が操作する携帯情報端末１２と、携帯情報端末１２によってアクセスされるＷｅｂページを記憶している制御サーバ１６と、店舗２０内に設置された店舗側端末２２とを備えている。
【００１８】
携帯情報端末１２、制御サーバ１６、及び店舗側端末２２は、インターネットなどのネットワーク２４を介して接続されている。
【００１９】
店舗２０内では、クーポン取得用のコードパターン２０Ａと、クーポン利用用のコードパターン２０Ｂとが利用者に対して提示されている。コードパターン２０Ａ、２０Ｂは、例えば、店舗２０内に設置された三角ＰＯＰなどに表示されている。コードパターン２０Ａ、２０Ｂは、例えば、ＱＲコード（登録商標）であり、当該店舗２０に対して与えられたＷｅｂページのＵＲＬを変換したものである。また、コードパターン２０Ａ、２０Ｂが表すＵＲＬは、制御サーバ１６上のＵＲＬとなっている。
【００２０】
携帯情報端末１２は、携帯電話、ＰＤＡ（Personal Digital Assistants）端末、あるいはノート型・ブック型コンピュータ端末等からなる。なお、携帯情報端末１２について、スマートフォンを一例として以下、説明する。携帯情報端末１２は、図２に示すように、通信部４０と、制御部４２と、撮像部４４と、表示部４６と、を含んで構成されている。
【００２１】
通信部４０は、ネットワーク２４を介した通信を行う。撮像部４４は、携帯情報端末１２の周辺の所定領域を撮像し、撮像画像を生成する。表示部４６は、例えば、タッチパネルディスプレイからなり、通信部４０によりアクセスしたＷｅｂページを表示する。また、表示部４６により、利用者からの指示情報等を入力する。例えば、表示部４６に対する利用者の操作に従って、ＩＤ，パスワード等を入力する。
【００２２】
制御部４２は、ＣＰＵ、ＲＯＭ、ＲＡＭ、及びＨＤＤを備えたコンピュータで構成されており、ＨＤＤには、制御サーバ１６が提供するサイトからダウンロードし、かつ、インストールした、後述するクーポン取得利用処理ルーチンを含むアプリケーションソフト、及び後述するコードパターン読取処理ルーチンを実現するためのプログラムが記憶されている。制御部４２は、機能的には次に示すように構成されている。制御部４２は、コード変換部５０及び通信制御部５２を備えている。なお、通信制御部５２は、アクセス要求送信手段及び表示制御手段の一例である。
【００２３】
コード変換部５０は、撮像部４４により撮像されたコードパターン２０Ａ又は２０Ｂを表す画像から、コードパターン２０Ａ又は２０Ｂが表す文字列（ＵＲＬ）に変換し、表示部４６に表示させる。
【００２４】
通信制御部５２は、表示部４６に対する利用者の操作に従って、通信部４０により所定のＷｅｂページへアクセスするように制御すると共に、コード変換部５０により変換されたＵＲＬのＷｅｂページへアクセスするように通信部４０を制御する。
【００２５】
店舗側端末２２は、クーポンを発行する各店舗側に設置されたコンピュータであり、制御サーバ１６が提供するサイトの管理ページにアクセスし、オペレータの操作により、当該店舗の情報を登録する。
【００２６】
また、店舗側端末２２は、制御サーバ１６が提供するサイトの管理ページにアクセスし、オペレータの操作により、当該店舗のクーポン情報を登録すると共に、当該店舗で発行するクーポンの店舗の情報であって、当該店舗の次に誘導する誘導先店舗の情報を登録する。誘導先店舗の情報を登録する場合には、例えば、管理ページに表示された、各誘導先店舗から発行オファー情報（店舗基本情報、報酬情報などを含む）を参照して、管理ページにおいて、当該店舗の次に誘導する誘導先店舗の情報を登録する。
【００２７】
また、店舗側端末２２は、制御サーバ１６が提供するサイトの管理ページにおいて、当該店舗に対して定められたクーポン取得用のコードパターン２０Ａ及びクーポン利用用のコードパターン２０Ｂの画像データを取得し、印刷することにより、当該店舗で提示するコードパターン２０Ａ、２０Ｂを取得する。
【００２８】
制御サーバ１６は、ＣＰＵ、ＲＯＭ、ＲＡＭ、及びＨＤＤを備えたコンピュータで構成されており、ＨＤＤには、後述するクーポン発行利用ログ登録処理ルーチンに対するプログラムが記憶されている。
【００２９】
制御サーバ１６は、機能的には次に示すように構成されている。図３に示すように、制御サーバ１６は、通信部５６及び制御部６０を備えている。制御部６０は、店舗側情報受付部６２、端末側情報受付部６４、店舗情報登録部６６、店舗情報データベース６８、クーポン情報登録部７０、クーポンデータベース７２、発行情報登録部７４、利用ページ生成部７５、発行ページ生成部７６、ＵＲＬリスト記憶部７７、ユーザ情報登録部７８、ユーザ情報データベース８０、認証部８２、発行利用ログ登録部８４、発行利用ログデータベース８６、報酬算出部８８、デポジットデータベース９０、及び支払データベース９１を備えている。なお、クーポンデータベース７２は、誘導先店舗記憶手段の一例であり、発行利用ログ登録部８４は、特定情報取得手段及びクーポン発行履歴記憶制御手段の一例であり、報酬算出部８８は、ログ検索手段及び報酬額算出手段の一例である。
【００３０】
店舗側情報受付部６２は、通信部５６により受信した、店舗側端末２２から送信された情報を受け付ける。端末側情報受付部６４は、通信部５６により受信した、携帯情報端末１２から送信された情報又は要求を受け付ける。
【００３１】
店舗情報登録部６６は、制御サーバ１６が提供するサイトの管理ページを介して店舗側端末２２から送信された店舗基本情報（店舗名、業種、住所など）に対して、店舗IDを付与して、店舗情報データベース６８に登録する。また、店舗情報登録部６６は、店舗に対して付与した店舗ＩＤを含むＵＲＬを、当該店舗に対して定めるクーポン発行ＷｅｂページのＵＲＬ及びクーポン利用ＷｅｂページのＵＲＬとして各々決定し、決定したＵＲＬを変換したコードパターン２０Ａ、２０Ｂの画像データと共に、店舗情報データベース６８に登録する。また、店舗情報登録部６６は、クーポン発行ＷｅｂページのＵＲＬ及びクーポン利用ＷｅｂページのＵＲＬを、店舗ＩＤと対応付けてＵＲＬリスト記憶部７７に格納する。また、店舗情報登録部６６は、管理ページを介して店舗側端末２２から送信された報酬情報（当該店舗のクーポン利用時の成約単価（当該店舗のクーポンを発行した店舗へ支払う報酬額））を、当該店舗の店舗IDに対応付けて、店舗情報データベース６８に登録する。
【００３２】
クーポン情報登録部７０は、制御サーバ１６が提供するサイトの管理ページを介して店舗側端末２２から送信された、当該店舗のクーポン情報、店舗関連画像、クーポン関連画像、及びクーポン種別（例えば、４８時間限定、先着指定など）を含むように生成されたクーポン発行ページデータを、当該店舗の店舗ＩＤと対応付けて、クーポンデータベース７２に登録する。
【００３３】
発行情報登録部７４は、店舗側端末２２から送信されたクーポン発行情報（当該店舗で発行するクーポンが利用される他の誘導先店舗の情報）に基づいて、当該他の誘導先店舗に対応する店舗ＩＤを、誘導元店舗である当該店舗の店舗IDに対応付けて、クーポンデータベース７２に登録する。
【００３４】
利用ページ生成部７５は、携帯情報端末１２から送信された、ユーザID又はＣｏｏｋｉｅ情報を含むアクセス要求を検知し、要求されたアクセス先のＵＲＬと、ＵＲＬリスト記憶部７７のクーポン利用ＵＲＬリストとに基づいて、クーポン利用ＷｅｂページのＵＲＬであると判定すると、要求されたアクセス先のＵＲＬから、誘導先店舗の店舗ＩＤを取得し、当該誘導先店舗のクーポンを利用することを表したクーポン利用Ｗｅｂページを生成し、生成したクーポン利用Ｗｅｂページを、上記の携帯情報端末１２へ送信する。なお、誘導先店舗である各店舗に対して各々予め定められたクーポン利用ＷｅｂページのＵＲＬからなるクーポン利用ＵＲＬリストが、ＵＲＬリスト記憶部７７に格納されている。クーポン利用ＵＲＬリストでは、誘導先店舗の店舗ＩＤとＵＲＬとが対応付けて格納されている。また、誘導元店舗である各店舗に対して各々予め定められたクーポン発行ＷｅｂページのＵＲＬからなるクーポン発行ＵＲＬリストが、ＵＲＬリスト記憶部７７に格納されている。クーポン発行ＵＲＬリストでは、誘導元店舗の店舗ＩＤとＵＲＬとが対応付けて格納されている。
【００３５】
発行ページ生成部７６は、携帯情報端末１２から送信されたアクセス要求を検知し、要求されたアクセス先のＵＲＬと、ＵＲＬリスト記憶部７７のクーポン発行ＵＲＬリストとに基づいて、クーポン発行ＷｅｂページのＵＲＬであると判定すると、要求されたアクセス先のＵＲＬから、誘導元店舗の店舗ＩＤを取得し、当該誘導元店舗のクーポン発行情報（当該店舗で発行するクーポンが利用される他の誘導先店舗の情報）に基づいて、当該他の誘導先店舗に対応するクーポン発行ページデータをクーポンデータベース７２から取得し、取得したクーポン発行ページデータを誘導先店舗毎に表したクーポン発行Ｗｅｂページを生成し、生成したクーポン発行Ｗｅｂページを、上記の携帯情報端末１２へ送信する。
【００３６】
ユーザ情報登録部７８は、携帯情報端末１２に制御サーバ１６からのアプリケーションソフトがインストールされるときに当該携帯情報端末１２から送信されたユーザ情報（ユーザＩＤ、パスワード、メールアドレス、生年月日、性別、地域など）を、ユーザ情報データベース８０に登録する。
【００３７】
認証部８２は、携帯情報端末１２から送信された、ユーザＩＤ及びパスワードと、ユーザ情報データベース８０のユーザ情報とを照合して、認証を行い、当該携帯情報端末１２へ、認証結果を通信部５６により送信させる。
【００３８】
発行利用ログ登録部８４は、携帯情報端末１２から送信された、ユーザID又はＣｏｏｋｉｅ情報を含むアクセス要求を検知し、要求されたアクセス先のＵＲＬと、ＵＲＬリスト記憶部７７のクーポン利用ＵＲＬリスト又はクーポン発行ＵＲＬリストとに基づいて、クーポン発行ＷｅｂページのＵＲＬであるかクーポン利用ＷｅｂページのＵＲＬであるかを判定すると共に、誘導元店舗又は誘導先店舗の店舗ＩＤを取得し、ユーザID又はＣｏｏｋｉｅ情報と誘導元店舗の店舗ＩＤと発行日時とを含むクーポン発行ログ、あるいはユーザID又はＣｏｏｋｉｅ情報と誘導先店舗の店舗ＩＤと利用日時とを含むクーポン利用ログを、発行利用ログデータベース８６に格納する。なお、本実施の形態では、クーポン発行ＷｅｂページのＵＲＬ内に含まれる店舗ＩＤが、誘導元店舗の店舗ＩＤとして取得され、クーポン利用ＷｅｂページのＵＲＬ内に含まれる店舗ＩＤが、誘導先店舗の店舗ＩＤとして取得される。
【００３９】
報酬算出部８８は、検知したアクセス要求のアクセス先が、クーポン利用ＷｅｂページのＵＲＬであると判定された場合に、アクセス要求に含まれる、ユーザID又はＣｏｏｋｉｅ情報と、取得された誘導先店舗の店舗ＩＤと、発行利用ログデータベース８６に格納されたクーポン発行ログと、当該誘導先店舗の店舗ＩＤに対応して店舗情報データベース６８に格納された報酬情報（成約単価）とに基づいて、誘導先店舗へ誘導した誘導元店舗の各々に対して支払う報酬額を算出し、算出した報酬額を、誘導元店舗の各々の店舗ＩＤに対応付けて、支払データベース９１に格納すると共に、デポジットデータベース９０に記憶されている誘導先店舗の店舗ＩＤに対応するデポジット金額を、成約単価だけ減額する。
【００４０】
ここで、本実施の形態における報酬額を算出する原理について説明する。
【００４１】
既存のアルゴリズムでは、同一のクーポンが、複数の誘導元店舗で発行された場合、成果報酬を得られるものは、実際に使用されたクーポンを発行した誘導元店舗、あるいは、最初又は最後に発行されたクーポンを発行した誘導元店舗である。
【００４２】
広告では、潜在的認知が顕在的認知に変わって、消費者の行動に結びつく。また、店舗利用の連動性を考慮して、誘導元店舗において、誘導先店舗のクーポンが発行され、誘導先店舗でクーポンが利用される。このとき、同一のクーポンが複数の店舗で発行されて、クーポンが利用された場合、その成果報酬を、上記の既存のアルゴリズムにより分配することは合理的ではない。そこで、本実施の形態では、最終発行場所である誘導元店舗をA0とし、ひとつ前の発行場所である誘導元店舗をA1、さらにひとつ前の発行場所である誘導元店舗をA2とし、以降A3、A4、・・・・とすると、誘導元店舗Anの分配率が、以下の式で算出される。
【００４３】
【数１】
2014139757.tif 000003
【００４４】
ただし、Ｎは、当該クーポンを利用するユーザに対して発行され、かつ、利用された当該クーポンのクーポン発行ログであって、クーポン利用日時より一定期間（例えば、２４時間）前までの間に発行日時が含まれるクーポン発行ログに対応する誘導元店舗の数である。
【００４５】
例えば、当該クーポンを利用するユーザに対して発行され、かつ、利用された当該クーポンのクーポン発行ログであって、クーポン利用日時より一定期間前までの間に発行日時が含まれるクーポン発行ログに対応する誘導元店舗の数が、３つであった場合、誘導元店舗A0,A1,A2の分配率は以下のように算出される。
【００４６】
誘導元店舗Ａ0の分配率＝１／（１＋０．５＋０．２５）
誘導元店舗Ａ1の分配率＝（０．５）／（１＋０．５＋０．２５）
誘導元店舗Ａ2の分配率＝（０．２５）／（１＋０．５＋０．２５）
【００４７】
そして、誘導元店舗Anの分配率に、誘導先店舗について定められた成約単価を乗じて、誘導元店舗Anの成果報酬が算出される。
【００４８】
次に、第１の実施の形態に係るクーポン表示システム１０の作用について説明する。
【００４９】
まず、店舗側のオペレータが、店舗側端末２２を操作して、制御サーバ１６が提供しているサイトの管理ページにアクセスし、当該店舗の店舗ＩＤを入力すると共に、管理ページに表示された、各誘導先店舗から発行オファー情報（店舗基本情報、報酬情報などを含む）を参照して、当該店舗で発行するクーポン発行情報として、当該店舗の次に誘導する誘導先店舗の情報を登録すると、制御サーバ１６において、登録されたクーポン発行情報が、クーポンデータベース７２に格納される。
【００５０】
そして、ユーザが、携帯情報端末１２を操作して、制御サーバ１６からアプリケーションソフトをダウンロードして携帯情報端末１２にインストールすると、携帯情報端末１２の表示部４６に、ユーザ情報設定画面が表示される。ユーザが、携帯情報端末１２を操作して、ユーザＩＤ、パスワード、メールアドレス、生年月日、性別、地域などを入力すると、携帯情報端末１２から、入力されたユーザ情報が、制御サーバ１６へ送信される。
【００５１】
制御サーバ１６では、受信したユーザ情報を、ユーザ情報データベース８０へ登録する。
【００５２】
そして、携帯情報端末１２を所持するユーザが利用している店舗において、他の店舗のクーポンデータを取得するとき、ユーザが、携帯情報端末１２を操作して、アプリケーションソフトを起動すると、携帯情報端末１２において、図４に示すクーポン取得利用処理ルーチンが実行される。
【００５３】
まず、ステップ１００において、携帯情報端末１２の表示部４６に、ログイン画面を表示し、ユーザID及びパスワードの入力を受け付けたか否かを判定する。ユーザが、携帯情報端末１２を操作して、ユーザID及びパスワードを入力すると、ステップ１０２へ進む。ステップ１０２では、入力されたユーザID及びパスワードを含むログイン情報を、制御サーバ１６へ送信する。
【００５４】
このとき、制御サーバ１６において、携帯情報端末１２から送信されたログイン情報を受け付けると、当該ログイン情報と、ユーザ情報データベース８０のユーザ情報とを照合して、認証処理を行い、認証結果を、携帯情報端末１２へ送信する。
【００５５】
ステップ１０４において、制御サーバ１６から認証結果を受信したか否かを判定し、認証結果を受信すると、ステップ１０６へ進む。ステップ１０６において、上記ステップ１０４で認証が成功したか否かを判定し、認証が失敗した場合には、クーポン取得利用処理ルーチンを終了し、一方、認証が成功した場合には、ステップ１０８へ移行する。
【００５６】
ステップ１０８では、撮像部４４を起動すると共に、コードパターンを撮像するように表示部４６にメッセージを表示させる。そして、ステップ１１０において、コードパターンが撮像されたか否かを判定する。ユーザが携帯情報端末１２を操作して、ユーザが利用している店舗で提示されているクーポン取得用のコードパターン２０Ａを撮像すると（図５の（１）参照）、ステップ１１２へ移行する。
【００５７】
ステップ１１２では、上記ステップ１１０で撮像したコードパターン２０Ａを、ＵＲＬを示す文字列に変換し、変換されたＵＲＬを表示部４６に表示させる。ユーザが携帯情報端末１２を操作して、表示部４６に表示されたＵＲＬへのアクセスを指示すると、ステップ１１４において、上記ステップ１００で入力されたユーザＩＤを含む、上記ステップ１１２で変換されたＵＲＬへのアクセス要求を制御サーバ１６へ送信する。
【００５８】
このとき、制御サーバ１６では、携帯情報端末１２から送信されたアクセス要求を受信すると、当該アクセス要求のアクセス先のＵＲＬに含まれる店舗ＩＤに対するクーポン発行Ｗｅｂページを生成して、携帯情報端末１２へ送信する。
【００５９】
そして、ステップ１１６において、クーポン発行Ｗｅｂページのデータ又はクーポン利用Ｗｅｂページのデータを、制御サーバ１６から受信したか否かを判定し、クーポン発行Ｗｅｂページのデータを受信すると、ステップ１１８へ進み、受信したクーポン発行Ｗｅｂページを表示部４６に表示させて（図５の（２）参照）、クーポン取得利用処理ルーチンを終了する。
【００６０】
そして、ユーザは、携帯情報端末１２の表示部４６に表示されたクーポン発行Ｗｅｂページを閲覧すると、クーポンが利用できる店舗へ誘導される（図５の（３）参照）。
【００６１】
そして、上記のクーポン発行Ｗｅｂページに含まれるクーポン情報が利用できる店舗(誘導先店舗)において、ユーザが、当該クーポンを利用するとき、ユーザが、携帯情報端末１２を操作して、アプリケーションソフトを起動し、携帯情報端末１２において、上記のクーポン取得利用処理ルーチンを実行する。
【００６２】
このとき、上記のステップ１１０において、コードパターンが撮像されたか否かを判定する。ユーザが携帯情報端末１２を操作して、クーポンを利用する店舗で提示されているクーポン利用用のコードパターン２０Ｂを撮像すると（図５の（４）参照）、ステップ１１２へ移行する。
【００６３】
上記ステップ１１２では、上記ステップ１１０で撮像したコードパターン２０Ｂを、ＵＲＬを示す文字列に変換し、変換されたＵＲＬを表示部４６に表示させる。ユーザが携帯情報端末１２を操作して、表示部４６に表示されたＵＲＬへのアクセスを指示すると、上記ステップ１１４において、上記ステップ１００で入力されたユーザＩＤを含む、上記ステップ１１２で変換されたＵＲＬへのアクセス要求を制御サーバ１６へ送信する。
【００６４】
制御サーバ１６では、携帯情報端末１２から送信されたアクセス要求を受信すると、後述するページ生成処理ルーチンを実行して、当該アクセス要求のアクセス先のＵＲＬに含まれる店舗ＩＤに対するクーポン利用Ｗｅｂページを生成し、携帯情報端末１２へ送信する。
【００６５】
上記ステップ１１６において、クーポン利用Ｗｅｂページのデータを、制御サーバ１６から受信したと判定すると、ステップ１１８へ進み、受信したクーポン利用Ｗｅｂページを表示部４６に表示させる。
【００６６】
そして、ユーザは、携帯情報端末１２の表示部４６に表示されたクーポン利用Ｗｅｂページを、店員に提示して、クーポンを行使する。また、当該店舗において、さらに、他の店舗のクーポンデータを取得する場合には、上記の処理が繰り返される（図５の（５）、（６）、（７）参照）。
【００６７】
上記のクーポン取得利用処理ルーチンでは、ログイン情報を携帯情報端末１２に入力して、クーポン発行Ｗｅｂページ又はクーポン利用Ｗｅｂページを表示させる場合を例に説明したが、これに限定されるものではなく、ログイン情報の入力をせずに、クーポン発行Ｗｅｂページ又はクーポン利用Ｗｅｂページを携帯情報端末１２に表示させるようにすることができる。
【００６８】
例えば、携帯情報端末１２において、ユーザの操作により、コードパターンの読み取り処理が指示されると、図６に示すコードパターン読取処理ルーチンが実行される。
【００６９】
ステップ１２８において、撮像部４４を起動すると共に、コードパターンを撮像するように表示部４６にメッセージを表示させる。そして、ステップ１３０において、コードパターンが撮像されたか否かを判定する。ユーザが携帯情報端末１２を操作して、店舗で提示されているクーポン取得用のコードパターン２０Ａ又はクーポン利用用のコードパターン２０Ｂを撮像すると、ステップ１３２へ移行する。
【００７０】
ステップ１３２では、上記ステップ１３０で撮像したコードパターン２０Ａ又は２０Ｂを、ＵＲＬを示す文字列に変換し、変換されたＵＲＬを表示部４６に表示させる。ユーザが携帯情報端末１２を操作して、表示部４６に表示されたＵＲＬへのアクセスを指示すると、ステップ１３４において、携帯情報端末１２のＣｏｏｋｉｅ情報を含む、上記ステップ１３２で変換されたＵＲＬへのアクセス要求を制御サーバ１６へ送信する。
【００７１】
このとき、制御サーバ１６では、携帯情報端末１２から送信されたアクセス要求を受信すると、当該アクセス要求のアクセス先のＵＲＬに含まれる店舗ＩＤに対するクーポン発行Ｗｅｂページのデータ又はクーポン利用Ｗｅｂページのデータを生成し、携帯情報端末１２へ送信する。
【００７２】
そして、ステップ１３６において、クーポン発行Ｗｅｂページのデータ又はクーポン利用Ｗｅｂページのデータを、制御サーバ１６から受信したか否かを判定し、クーポン発行Ｗｅｂページのデータ又はクーポン利用Ｗｅｂページのデータを受信すると、ステップ１３８へ進み、受信したクーポン発行Ｗｅｂページ又はクーポン利用Ｗｅｂページのデータを表示部４６に表示させて、コードパターン読取処理ルーチンを終了する。
【００７３】
また、制御サーバ１６において、図７に示すクーポン発行利用ログ登録処理ルーチンが実行される。
【００７４】
ステップ１５０において、携帯情報端末１２からのクーポン発行Ｗｅｂページ又はクーポン利用ＷｅｂページのＵＲＬへのアクセス要求を検知したか否かを判定し、携帯情報端末１２からのクーポン発行Ｗｅｂページ又はクーポン利用ＷｅｂページのＵＲＬへのアクセス要求を検知すると、ステップ１５２へ進む。
【００７５】
ステップ１５２では、上記ステップ１５０で検知したアクセス要求に含まれるユーザＩＤ又はＣｏｏｋｉｅ情報を取得する。ステップ１５４では、上記ステップ１５０で検知したアクセス要求のアクセス先のＵＲＬから、店舗ＩＤを取得する。
【００７６】
そして、ステップ１５６において、アクセス要求のアクセス先のＵＲＬと、ＵＲＬリスト記憶部７７のクーポン発行ＵＲＬリスト又はクーポン利用ＵＲＬリストとを照合して、クーポン発行Ｗｅｂページへのアクセスであるか否かを判定する。クーポン発行Ｗｅｂページへのアクセスである場合には、ステップ１５８において、上記ステップ１５２で取得したユーザＩＤ又はＣｏｏｋｉｅ情報と、上記ステップ１５４で取得した店舗ＩＤ（誘導元店舗の店舗ＩＤ）と、クーポン発行日時(現在の日時)とを含むクーポン発行ログを、発行利用ログデータベース８６に記憶し、クーポン発行利用ログ登録処理ルーチンを終了する。
【００７７】
一方、クーポン利用Ｗｅｂページへのアクセスである場合には、ステップ１６０において、上記ステップ１５２で取得したユーザＩＤ又はＣｏｏｋｉｅ情報と、上記ステップ１５４で取得した店舗ＩＤ（誘導先店舗の店舗ＩＤ）と、クーポン利用日時(現在の日時)とを含むクーポン利用ログを、発行利用ログデータベース８６に記憶する。
【００７８】
そして、ステップ１６２において、上記ステップ１５２で取得したユーザＩＤ又はＣｏｏｋｉｅ情報と同一のユーザＩＤ又はＣｏｏｋｉｅ情報を含むクーポン発行ログであって、クーポン利用日時により一定期間（例えば、２４時間）前までの間にクーポン発行日時が含まれるクーポン発行ログを、発行利用ログデータベース８６に記憶されたクーポン発行ログから検索する。
【００７９】
次のステップ１６４では、クーポンデータベース７２に記憶されている誘導先店舗の店舗ＩＤと、誘導元店舗の店舗IDとの対応付けに基づいて、上記ステップ１６２で検索されたクーポン発行ログのうち、上記ステップ１５４で取得した店舗ＩＤ（誘導先店舗の店舗ＩＤ）に対応付けされた誘導元店舗の店舗ＩＤを有するクーポン発行ログを検索する。
【００８０】
そして、ステップ１６６において、上記ステップ１６４で検索されたクーポン発行ログの店舗ＩＤ（誘導元店舗の店舗ＩＤ）の各々に対して、当該クーポン発行ログの発行日時に基づいて、分配率を算出する。また、上記ステップ１５４で取得した店舗ＩＤ（誘導先店舗の店舗ＩＤ）に対して設定された成約単価を、店舗情報データベース６８から取得し、算出した分配率を用いて、上記ステップ１６４で検索されたクーポン発行ログの店舗ＩＤの各々に対して、支払う報酬額を算出する。
【００８１】
そして、ステップ１６８において、上記ステップ１６４で検索されたクーポン発行ログの店舗ＩＤ（誘導元店舗の店舗ＩＤ）の各々に対応付けて、上記ステップ１６８で算出された報酬額を、支払データベース９１に登録すると共に、デポジットデータベース９０を更新して、クーポン発行利用ログ登録処理ルーチンを終了する。
【００８２】
これによって、クーポンが利用される毎に、当該クーポンの発行元の店舗に対して、報酬額が算出され、例えば、月末締めで、発行元の店舗毎に、報酬額の合計額が算出され、算出された合計額が支払われる。
【００８３】
以上説明したように、第１の実施の形態に係るクーポン表示システムによれば、携帯情報端末によるクーポン利用ＷｅｂページのＵＲＬへのアクセスを検知したときに、取得したユーザＩＤ又はＣｏｏｋｉｅ情報を含み、かつ、クーポン利用ＷｅｂページのＵＲＬへアクセスした利用日時より所定期間前までの間に発行日時が含まれるクーポン発行ログを検索し、検索されたクーポン発行ログのうち、取得した店舗ＩＤが示す店舗が誘導先店舗としてクーポンデータベースに記憶されている誘導元店舗の店舗ＩＤを含むクーポン発行ログを検索し、検索されたクーポン発行ログの各々に含まれる店舗ＩＤに対して支払う報酬額を、クーポン発行ログの各々の発行日時に応じた分配率に基づいて算出することにより、クーポン発行を行って他の店舗へ誘導した店舗に対して、適切な報酬額を算出することができる。クーポン発行日時が古いほど、分配率を小さくすることによって、クーポンを用いた店舗誘導による連動性を考慮した貢献度に応じた適切な分配率を算出することができる。
【００８４】
次に、第２の実施の形態に係るクーポン表示システムについて説明する。なお、第２の実施の形態に係るクーポン表示システムの構成は、第１の実施の形態と同様の構成であるため、同一符号を付して説明を省略する。
【００８５】
第２の実施の形態では、成果報酬の分配率の算出方法が、第１の実施の形態と異なっている。
【００８６】
本発明の実施の形態に係るクーポン表示システムは、顧客を店舗から店舗へ誘導するための仕組みであり、永遠と連鎖するものである。本システムを利用し、広告収入を得ようとした場合、自店舗ａの顧客を、他の店舗ｂに誘導するが、他の店舗ｂは更に他の店舗ｃに誘導する。店舗ｃは直接的には店舗ｂからの誘導であるが、店舗ｂに顧客が訪れたのは店舗ａの誘導の成果であるため、店舗ｃでのクーポン利用で発生する報酬は、店舗ｂに対してだけでなく、店舗ａに対しても支払う。
【００８７】
本実施の形態では、最終発行場所である誘導元店舗をA0とし、ひとつ前の発行場所である誘導元店舗をA1、さらにひとつ前の発行場所である誘導元店舗をA2とし、以降A3、A4、・・・・とし、誘導元店舗A0で利用したクーポンの最終発行場所である誘導元店舗をＢとすると、誘導元店舗An、Ｂの分配率が、以下の式で算出される。
【００８８】
【数２】
2014139757.tif 000004
誘導元店舗Ｂの分配率＝１／１０
【００８９】
なお、誘導元店舗A0で利用したクーポンの最終発行場所である誘導元店舗が存在しない場合には、上記の第１の実施の形態と同様に、誘導元店舗A0、A1、・・・に対して分配率が算出される。
【００９０】
また、第２の実施の形態におけるクーポン発行利用ログ登録処理ルーチンでは、上記ステップ１６４において、クーポンデータベース７２に記憶されている誘導先店舗の店舗ＩＤと、誘導元店舗の店舗IDとの対応付けに基づいて、上記ステップ１６２で検索されたクーポン発行ログのうち、上記ステップ１５４で取得した店舗ＩＤ（誘導先店舗の店舗ＩＤ）に対応付けされた誘導元店舗の店舗ＩＤを有するクーポン発行ログを検索する。また、クーポンデータベース７２に記憶されている誘導先店舗の店舗ＩＤと、誘導元店舗の店舗IDとの対応付けに基づいて、上記ステップ１６２で検索されたクーポン発行ログのうち、上記で検索されたクーポン発行ログのうち発行日時がクーポン利用日時に最も近いクーポン発行ログの店舗ＩＤ（誘導先店舗の店舗ＩＤ）に対応付けされた誘導元店舗の店舗ＩＤを有するクーポン発行ログを検索し、検索されたクーポン発行ログのうち、発行日時がクーポン利用日時に最も近いクーポン発行ログを検索する。
【００９１】
そして、ステップ１６６において、発行日時がクーポン利用日時に最も近いクーポン発行ログの店舗ＩＤ（誘導先店舗の店舗ＩＤ）に対応付けされた誘導元店舗の店舗ＩＤを有するクーポン発行ログであって、発行日時がクーポン利用日時に最も近いクーポン発行ログが検索されたか否かと、クーポン発行ログの発行日時とに基づいて、上記ステップ１６４で検索されたクーポン発行ログの店舗ＩＤ（誘導元店舗の店舗ＩＤ）の各々に対して、分配率を算出する。また、上記ステップ１５４で取得した店舗ＩＤ（誘導先店舗の店舗ＩＤ）に対して設定された成約単価を、店舗情報データベース６８から取得し、算出した分配率を用いて、上記ステップ１６４で検索されたクーポン発行ログの店舗ＩＤの各々に対して、支払う報酬額を算出する。
【００９２】
なお、第２の実施の形態に係るクーポン表示システムの他の構成及び作用については、第１の実施の形態と同様であるため、説明を省略する。
【００９３】
このように、間接的に誘導した誘導元店舗に対しても分配率を与えることによって、クーポンを用いた店舗誘導による連動性を考慮して、より適切な分配率を算出することができる。
【００９４】
なお、上記の実施の形態では、クーポン発行ＷｅｂページのＵＲＬへのアクセス要求を検知したときに、クーポン発行Ｗｅｂページを生成する場合を例に説明したが、これに限定されるものではなく、オフラインで、クーポン発行Ｗｅｂページを生成するようにしてもよい。例えば、発行ページ生成部７６は、店舗側端末２２からクーポン発行情報（当該店舗で発行するクーポンが利用される他の誘導先店舗の情報）が登録されたときに、クーポン発行情報に基づいて、当該他の誘導先店舗に対応するクーポン発行ページデータをクーポンデータベース７２から取得し、取得したクーポン発行ページデータを誘導先店舗毎に表したクーポン発行Ｗｅｂページを生成し、生成したクーポン発行Ｗｅｂページを、当該店舗に対して予め定められたＵＲＬに該当する位置に格納するようにしてもよい。
【００９５】
また、上記の実施の形態では、コードパターンとして、ＱＲコード（登録商標）を用いる場合を例に説明したが、これに限定されるものではなく、他のコードパターンを用いてもよい。たとえば、二次元バーコードや、文字コード等を用いてもよい。
【符号の説明】
【００９６】
１０   クーポン表示システム
１２   携帯情報端末
１６   制御サーバ
２０   店舗
２０Ａ、２０Ｂコードパターン
２２   店舗側端末
２４   ネットワーク
４０   通信部
４２   制御部
４４   撮像部
４６   表示部
５０   コード変換部
５２   通信制御部
５６   通信部
６０   制御部
６６   店舗情報登録部
６８   店舗情報データベース
７０   クーポン情報登録部
７２   クーポンデータベース
７４   発行情報登録部
７５   利用ページ生成部
７６   発行ページ生成部
７７   ＵＲＬリスト記憶部
７８   ユーザ情報登録部
８０   ユーザ情報データベース
８２   認証部
８４   発行利用ログ登録部
８６   発行利用ログデータベース
８８   報酬算出部
９１   支払データベース
【図２】
2014139757.tif 000005
【図４】
2014139757.tif 000006
【図６】
2014139757.tif 000007
【図７】
2014139757.tif 000008
【図１】
2014139757.tif 000009
【図３】
2014139757.tif 000010
【図５】
2014139757.tif 000011